(57)【要約】【課題】無線中継装置において、ＤＦＳ制御によるパケット途切れを抑える。【解決手段】無線中継親機１，２を、２機一対で運用し、それらが通信を行い、平時にはトラヒック分散などのために、（ａ）のように無線中継子機３Ａ〜３Ｄを分散して配下とする。（ｂ）の参照符号Ｆ１で示すように、一方の無線中継親機１が、レーダー波を検出し、ＤＦＳ制御によるＣＡＣを行う必要が生じると、配下の無線中継子機３Ａ，３Ｂに、参照符号Ｆ２のように、予め登録してある対の無線中継親機２のＭＡＣアドレスと使用チャンネル情報とを送信し、接続先を切換えさせる。ＣＡＣが終了すると、無線中継親機１は、参照符号Ｆ３のように移行完了を送信し、それを受信した無線中継親機２は、移行してきた無線中継子機を、再度無線中継親機１に接続先を切換えさせる。したがって、ＤＦＳ制御によるＣＡＣの間の通信途切れを抑えることができる。【選択図】図２
2020198518.tif 000002
【特許請求の範囲】
【請求項１】
複数機が一体で運用されて相互に情報を通信可能に構成される無線中継親機と、前記無線中継親機に無線接続される１または複数の無線中継子機とを備えて構成される無線ＬＡＮシステムに、前記無線中継親機として用いられる無線中継装置であって、
電波状況に応じてチャンネル移行を判定する判定部と、
前記判定部で前記チャンネル移行が判定されると、前記一体で運用される他の無線中継装置の情報を、前記無線中継子機に与えて該無線中継子機の接続先を切換えさせる切換部とを含むことを特徴とする無線中継装置。
【請求項２】
前記チャンネル移行が完了すると、前記一体で運用される他の無線中継装置にその移行完了を送信する完了送信部と、
前記チャンネルの移行完了の連絡を受けると、前記切換部から、前記無線中継子機に、前記一体で運用される元の無線中継装置の情報を与えさせることで、該無線中継子機の接続先を前記元の無線中継装置に再度切換えさせる完了受信部とを、さらに備えることを特徴とする請求項１記載の無線中継装置。
【請求項３】
前記無線中継親機と無線中継子機とは、ビル間通信ユニットを構成することを特徴とする請求項１〜３の何れか１項に記載の無線中継装置。
【請求項４】
前記請求項１〜３の何れか１項に記載の無線中継装置を前記無線中継親機として用い、
前記無線中継子機は、前記他の無線中継装置の情報に応じて、接続先の無線中継親機を切換える接続親機決定制御部を備えることを特徴とする無線ＬＡＮシステム。
【請求項５】
複数機が一体で運用されて相互に情報を通信可能に構成される無線中継親機と、前記無線中継親機に無線接続される１または複数の無線中継子機とを備えて構成される無線ＬＡＮシステムに、前記無線中継親機として用いられる無線中継装置における無線中継方法であって、
電波状況に応じてチャンネル移行を判定する判定ステップと、
前記判定ステップで前記チャンネル移行が判定されると、前記一体で運用される他の無線中継装置の情報を、前記無線中継子機に与えて該無線中継子機の接続先を切換えさせる切換ステップとを含むことを特徴とする無線中継方法。
【請求項６】
前記チャンネル移行が完了すると、前記一体で運用される他の無線中継装置にその移行完了を送信する完了送信ステップと、
前記チャンネルの移行完了の連絡を受けると、前記無線中継子機に、前記一体で運用される元の無線中継装置の情報を与えることで、該無線中継子機の接続先を前記元の無線中継装置に再度切換えさせる完了受信ステップとを、さらに備えることを特徴とする請求項５記載の無線中継方法。
【発明の詳細な説明】
【技術分野】
【０００１】
本発明は、無線中継装置およびそれを用いる無線ＬＡＮシステムならびに無線中継方法に関し、特に無線ＬＡＮシステムは、無線中継親機となり、複数機が一体で運用される上記の無線中継装置と、前記無線中継親機に無線接続される１または複数の無線中継子機と、好ましくは前記無線中継子機に接続される多数の有線または無線の通信端末とを備えて構成される無線ＬＡＮシステムに関する。
【背景技術】
【０００２】
無線ＬＡＮシステムで使用される周波数は、混雑の回避や、より高速なデータ転送を可能にするために、当初の２．４ＧＨｚの帯域に加えて、５ＧＨｚの帯域が使用されるようになっている。しかしながら、その５ＧＨｚの帯域は、従来から、気象レーダーなどの他の用途でも、既に使用されている。
【０００３】
そのため、たとえば無線ＬＡＮのＩＥＥＥ８０２．１１ａ規格では、Ｗ５３やＷ５６と称される周波数帯（チャンネル）を使用する場合、前記気象レーダーなどの他の用途との干渉を防ぐために、ＤＦＳ（Dynamic Frequency Selection）と呼ばれる制御が行われている。前記ＤＦＳ制御は、前記他の用途での電波を検知すると、チャンネル移行して干渉を回避するものであり、さらに、移行先のチャンネルでも、前記他の用途での電波が検知されないかどうかを、所定期間監視して判定するＣＡＣ(Channel Availability Check)も行われる。したがって、これらの間、無線ＬＡＮの通信ができなくなる。また、ＣＡＣを行った際、再度、前記他の用途での電波が検知されると、さらに別のチャンネルを捜す作業を繰返すことになり、その間は引続き、通信できない。
【０００４】
そこで、特許文献１には、無線ＬＡＮアクセスポイントに、それぞれ異なるＳＳＩＤを持った複数の無線インターフェイスを備え、気象レーダーによって一の無線インターフェイスが使用していたチャンネルが使えなくなると、他の無線インターフェイスが、１つの無線インターフェイスで複数のＳＳＩＤを扱うことのできるマルチＳＳＩＤ機能によって、使えなくなった無線インターフェイスのＳＳＩＤを提供することで、配下の通信端末のセッションが途切れないようにした無線ＬＡＮアクセスポイントが提案されている。
【先行技術文献】
【特許文献】
【０００５】
【特許文献１】特開２００９−１００２１０号公報
【発明の概要】
【発明が解決しようとする課題】
【０００６】
しかしながら、上述の従来技術では、通信端末の接続先は同じＳＳＩＤであるが、その同じＳＳＩＤを捜すために周波数をスキャンする必要があり、再接続に時間が掛るという問題がある。
【０００７】
本発明の目的は、無線中継装置を無線中継親機として、その無線中継親機に無線中継子機が接続される場合に、無線中継親機がＤＦＳ、ＣＡＣによって現在使用しているチャンネルが使用不可となり、無線ＬＡＮの通信ができなくなっても、無線中継子機側の通信端末などの通信が可能になる無線中継装置およびそれを用いる無線ＬＡＮシステムならびに無線中継方法を提供することである。
【課題を解決するための手段】
【０００８】
本発明の無線中継装置は、複数機が一体で運用されて相互に情報を通信可能に構成される無線中継親機と、前記無線中継親機に無線接続される１または複数の無線中継子機とを備えて構成される無線ＬＡＮシステムに、前記無線中継親機として用いられる無線中継装置であって、電波状況に応じてチャンネル移行を判定する判定部と、前記判定部で前記チャンネル移行が判定されると、前記一体で運用される他の無線中継装置の情報を、前記無線中継子機に与えて該無線中継子機の接続先を切換えさせる切換部とを含むことを特徴とする。
【０００９】
また、本発明の無線中継方法は、複数機が一体で運用されて相互に情報を通信可能に構成される無線中継親機と、前記無線中継親機に無線接続される１または複数の無線中継子機とを備えて構成される無線ＬＡＮシステムに、前記無線中継親機として用いられる無線中継装置における無線中継方法であって、電波状況に応じてチャンネル移行を判定する判定ステップと、前記判定ステップで前記チャンネル移行が判定されると、前記一体で運用される他の無線中継装置の情報を、前記無線中継子機に与えて該無線中継子機の接続先を切換えさせる切換ステップとを含むことを特徴とする。
【００１０】
上記の構成によれば、無線中継親機と、該無線中継親機に無線接続される１または複数の無線中継子機と、好ましくは、前記無線中継子機に接続される多数の通信端末とを備えて構成される無線ＬＡＮシステムに、前記無線中継親機として用いられる無線中継装置およびその無線中継方法において、たとえば無線ＬＡＮのＩＥＥＥ８０２．１１ａ規格におけるＷ５３やＷ５６の周波数帯（チャンネル）を使用し、気象レーダーとの干渉を防ぐためのＤＦＳ（Dynamic Frequency Selection）制御を行う場合のように、その無線中継親機が電波状況に応じてチャンネル移行しようとすると、無線中継子機や、該無線中継子機の配下の通信端末は、そのチャンネルで他の用途の電波が検知されるか否かを判定するＣＡＣ(Channel Availability Check)の間、通信ができなくなる。また、ＣＡＣを行った際、再度、他の用途の電波が検知されると、さらに別のチャンネルを捜す作業を繰返すことになり、その間、通信できなくなる。
【００１１】
そこで、本発明では、無線中継親機は、複数機が一体で運用され、相互に情報を通信可能に構成されており、通常は、干渉を避けるため、互いに可能な限り離れたチャンネルを選択するように調整されている。好ましくは、一体で運用される無線中継親機同士が、特別なコントローラ無しで、互いの通信端末のトラヒック量・電波強度・通信エラー状況などを交換し、自律的に負荷分散を行い、通信状態を最適にすることができるようになっている。
【００１２】
そして、判定ステップにおいて、判定部が前記電波状況に応じてチャンネル移行を判定すると、通常は無線中継子機が、スキャンによって親局となる無線中継親機を捜すことになるところ、本発明では、切換ステップにおいて、切換部が、前記一体で運用される他の無線中継親機の情報を無線中継子機に与えて、つまり紹介を行い、該無線中継子機の接続先の無線中継親機を切換え（ローミング）させる。
【００１３】
したがって、無線中継親機がＤＦＳ、ＣＡＣによって無線中継子機との間の無線ＬＡＮの通信ができなくなっても、無線中継子機は、サーチすることなく、他の無線中継親機に接続して、自身や、配下の多数の通信端末は、連続して（切れ目無く）、ネットワークに接続できるようになる。
【００１４】
さらにまた、本発明の無線中継装置では、前記チャンネル移行が完了すると、前記一体で運用される他の無線中継装置にその移行完了を送信する完了送信部と、前記チャンネルの移行完了の連絡を受けると、前記切換部から、前記無線中継子機に、前記一体で運用される元の無線中継装置の情報を与えさせることで、該無線中継子機の接続先を前記元の無線中継装置に再度切換えさせる完了受信部とを、さらに備えることを特徴とする。
【００１５】
また、本発明の無線中継方法では、前記チャンネル移行が完了すると、前記一体で運用される他の無線中継装置にその移行完了を送信する完了送信ステップと、前記チャンネルの移行完了の連絡を受けると、前記無線中継子機に、前記一体で運用される元の無線中継装置の情報を与えることで、該無線中継子機の接続先を前記元の無線中継装置に再度切換えさせる完了受信ステップとを、さらに備えることを特徴とする。
【００１６】
上記の構成によれば、元の無線中継親機のチャンネル移行が完了すると、完了送信ステップにおいて、完了送信部が他の無線中継親機にその移行完了を送信し、その連絡を他の無線中継装置の完了受信部が受けると、完了受信ステップにおいて、前記切換部から、前記無線中継子機に、元の無線中継親機の情報を与えさせ、その無線中継子機の接続先の無線中継親機を元の無線中継親機に再度切換えさせる。
【００１７】
したがって、一旦、他の無線中継親機に接続先を移行しても、元の無線中継親機が中継可能になると、無線中継子機に、元の無線中継親機への接続を促し、所謂切戻しの動作を行わせることで、他の無線中継親機のトラヒックが過剰になったままとなるような不具合も無い。
【００１８】
また、本発明の無線中継装置では、前記無線中継親機と無線中継子機とは、ビル間通信ユニットを構成することを特徴とする。
【００１９】
上記の構成によれば、ビル間通信ユニットは、社内ネットワークなどを構成するので、接続に障害が出ないようにすることは、効果的で、好適である。
【００２０】
さらにまた、本発明の無線ＬＡＮシステムは、前記の無線中継装置を前記無線中継親機として用い、前記無線中継子機は、前記他の無線中継装置の情報に応じて、接続先の無線中継親機を切換える接続親機決定制御部を備えることを特徴とする。
【００２１】
上記の構成によれば、無線ＬＡＮシステムにおいて、ＤＦＳ、ＣＡＣによる無線中継親機のチャンネル切換に伴う無線中継子機の接続先の切換えに対して、パケットを切れ目無く転送できるシステムを実現することができる。
【発明の効果】
【００２２】
本発明の無線中継装置および無線中継方法は、以上のように、無線中継親機となる無線中継装置において、電波状況に応じてチャンネル移行する際に、一体で運用される他の無線中継装置の情報を無線中継子機に与えて、該無線中継子機を、サーチさせることなく接続先を切換えさせる。
【００２３】
それゆえ、無線中継子機自身や、その配下の通信端末が、連続して（切れ目無く）、ネットワークに接続できるようになる。
【図面の簡単な説明】
【００２４】
【図１】本発明の実施の一形態に係る無線中継装置である無線中継親機を用いる無線ＬＡＮシステムの構成を示すブロック図である。
【図２】前記無線中継親機による無線中継子機の切換え動作を説明するための図である。
【図３】図２のフローチャートである。
【図４】無線中継親機のＤＦＳ制御による無線中継子機の親機切換え動作を説明するためのフローチャートであり、従来の動作を示す。
【図５】無線中継親機のＤＦＳ制御による無線中継子機の親機切換え動作を説明するためのフローチャートであり、本実施形態の動作を示す。
【発明を実施するための形態】
【００２５】
図１は、本発明の実施の一形態の無線ＬＡＮシステム１０のブロック図である。この無線ＬＡＮシステム１０は、本発明の実施の一形態の無線中継装置である無線中継親機１，２と、無線中継子機３とを備えて構成される。この無線ＬＡＮシステム１０は、たとえばビル間を無線通信して、社内ＬＡＮなどを構築するために好適に用いられる。
【００２６】
無線中継親機１，２は、有線ＬＡＮ６を介して相互に通信可能に構成されるとともに、その有線ＬＡＮ６から外部ネットワーク７に接続されている。無線中継親機２は、無線中継親機１と同様の構成であり、それらは無線通信エリアが相互に重なるように設置されて冗長構成を成すものであり、一体で運用され、またその同じエリアに３台以上が設置されてもよい。
【００２７】
図１では図面の簡略化のために省略しているが、無線中継親機１，２の配下となる無線中継子機３は、１または複数であり、その無線中継子機３には、１または複数段のスイッチングハブ５を介して、有線、無線のネットワーク８が接続される。ネットワーク８には、図示しない多数の通信端末が接続される。無線中継子機３は、無線中継親機１，２と同様の構成の場合もあり、その場合、設定によって、親機になるか子機になるかは切換え可能である。
【００２８】
したがって、ネットワーク８に接続される通信端末は、スイッチングハブ５および無線中継子機３から、無線中継親機１または２を介してネットワーク７に接続され、パケットの送受信が可能になっている。その無線中継子機３と無線中継親機１，２との間が、ＩＥＥＥ８０２．１１規格などの無線ＬＡＮによる接続である。また、ネットワーク８と通信端末との間は、前記ＩＥＥＥ８０２．１１規格などの無線ＬＡＮによる接続や、有線ＬＡＮによる接続であってもよい。
【００２９】
以下、無線中継親機１について説明し、無線中継親機２も同様に構成されている。無線中継親機１内では、有線ＬＡＮ６側の有線ＬＡＮ通信部１１と、無線中継子機３側の無線通信部１２との間でデータが転送されて、前記有線ＬＡＮ６と無線中継子機３との間でパケットの双方向での送受信が可能になっている。無線中継親機１，２は、２機一対で運用され、そのペア親機通信部１３が、有線ＬＡＮ通信部１１から有線ＬＡＮ６を介して相互に情報を通信可能に構成されている。これによって、その対を成す無線中継親機１，２同士が、特別なコントローラ無しで、通常は、干渉を避けるため、互いに可能な限り離れたチャンネルを選択するように調整されているとともに、互いの通信端末のトラヒック量・電波強度・通信エラー状況などを交換し、自律的に負荷分散を行い、通信状態を最適にすることができるようになっている。
【００３０】
そして、無線通信部１２の通信には、２．４５ＧＨｚ帯と、前記５ＧＨｚ帯とが用いられることがあり、該無線通信部１２の電波状況は、レーダー検出部１５でモニターされている。このレーダー検出部１５が、前記ＩＥＥＥ８０２．１１ａ規格におけるＷ５３やＷ５６の周波数帯（チャンネル）の使用時における気象レーダー波を検知すると、親機チャンネル決定制御部１６が、干渉を防ぐためのＤＦＳ制御を実現するために、チャンネル移行を行う。
【００３１】
その移行にあたっては、移行先のチャンネルでも、気象レーダー波が検知されないかどうかを判定するＣＡＣを、予め定める時間、たとえば１分間行わなければならず、またＣＡＣ中に再度レーダー波が検知された場合、レーダー検出部１５から親機チャンネル決定制御部１６は、さらに別のチャンネルを捜す作業を繰返すことになる。そのため、無線中継子機３自身およびその配下の通信端末は、その間、通信できなくなる。
【００３２】
そこで注目すべきは、本実施形態の無線中継親機１は、無線通信部１２に関連して、前記親機チャンネル決定制御部１６と共に切換部を構成する子機切換先チャンネル通知送信部１７が設けられている。判定部となるレーダー検出部１５における判定ステップでレーダー波が検知されると、ＤＦＳ制御により通信停止となるまでの猶予期間、たとえば１０秒の間に、前記親機チャンネル決定制御部１６は、切換ステップにおいて、前記ペア親機通信部１３に予め記憶している他の無線中継親機２の情報（ＭＡＣアドレスおよび使用チャンネル）を読出し、前記子機切換先チャンネル通知送信部１７に与えて、無線通信部１２から無線中継子機３へ送信する。つまり、無線中継子機３に、次に接続すべき先の紹介を行い、接続先を切換えさせる。これによって、無線中継子機３およびその配下の通信端末が、連続して（切れ目無く）、ネットワーク７に接続できるようにする。
【００３３】
一方、無線中継子機３も、前述のように設定によって無線中継親機１，２となることも可能であるので、基本構成は類似しており、前記スイッチングハブ５からネットワーク８に接続される有線ＬＡＮ通信部３１と、無線中継親機１，２側の無線通信部３２と、前述の接続先通知を受けるチャンネル通知受信部３７とを備えて構成される。
【００３４】
通常時は、後に詳述するように、無線通信部３２内のスキャン制御部３５が、予め定める周期で、無線中継親機からのビーコン信号のスキャンを行い、そのスキャンの結果に応じて、接続親機決定制御部３６が、電波状況の良い無線中継親機を接続先に決定する。一方、上述のように、現在接続中の無線中継親機１から、新たな無線中継親機２の情報（ＭＡＣアドレスおよび使用チャンネル）を、無線通信部３２を介して、チャンネル通知受信部３７が受信すると、接続親機決定制御部３６が、その情報に従い、接続先の無線中継親機を参照符号１から２へ切換える。
【００３５】
その様子を、図１に加えて、図２および図３を用いて説明する。図２は、無線中継親機１，２による無線中継子機３の切換え動作を説明するための図であり、図３は、そのフローチャートである。無線中継親機１，２は、２機一対で運用され、有線ＬＡＮ６を介して、ペア親機通信部１３が、相互に情報を通信可能に構成されている。そのため、その対を成す無線中継親機１，２同士は、特別なコントローラ無しで、ステップＳ１１で通信（中継）を開始すると、通常は、干渉を避けるため、図２（ａ）で示すように、親機チャンネル決定制御部１６によって、互いに可能な限り離れたチャンネルを選択するように調整されているとともに、互いの通信端末のトラヒック量・電波強度・通信エラー状況などを交換し、自律的に負荷分散を行い、通信状態を最適にすることができるようになっている。図２（ａ）では、無線中継子機３として、無線中継子機３Ａ，３Ｂ，３Ｃ，３Ｄの４台を示しており（以下、総称する際は、前記の参照符号３で示す）、無線中継子機３Ａ，３Ｂが無線中継親機１の配下となっており、無線中継子機３Ｃ，３Ｄが無線中継親機２の配下となっている。
【００３６】
そして、ステップＳ１２において、図２（ｂ）の参照符号Ｆ１で示すように、レーダー検出部１５がレーダー波を検出し、親機チャンネル決定制御部１６がチャンネル移行を判定すると、通常は、配下にある無線中継子機３Ａ，３Ｂは、通信途絶となり、スキャンによって親局となる無線中継親機２を捜すことになる。これに対して、本実施形態では、ステップＳ１３で示すように、子機切換先チャンネル通知送信部１７が、無線通信部１２から、対を成すもう１つの無線中継親機２の情報を乗せたビーコン信号を送信させ、無線中継子機３Ａ，３Ｂの無線通信部３２からチャンネル通知受信部３７に、紹介を行う。これによって、ステップＳ２１において、該無線中継子機３Ａ，３Ｂがそれを受信すると、ステップＳ２２において、参照符号Ｆ２で示すように、使用する無線中継親機を、参照符号１から参照符号２に切換える。
【００３７】
その後、元の無線中継親機１において、ステップＳ１４で、親機チャンネル決定制御部１６によるチャンネル移行（ＤＦＳ）が行われ、ステップＳ１５で、レーダー検出部１５によって、空きチャンネルの判定（ＣＡＣ）が終了し、該親機チャンネル決定制御部１６によるチャンネル移行が完了すると、ステップＳ１６で、完了送信部となるペア親機通信部１３が、参照符号Ｆ３で示すように、有線ＬＡＮ通信部１１から有線ＬＡＮ６を介して、対を成すもう１つの無線中継親機２にその移行完了を送信する。
【００３８】
その連絡を、もう１つの無線中継親機２において、有線ＬＡＮ６から有線ＬＡＮ通信部１１を介して、完了受信部となるペア親機通信部１３が受けると、ステップＳ３１において、親機チャンネル決定制御部１６は、無線通信部１２を介して、先に切換えさせられた無線中継子機３Ａ，３Ｂそれぞれに、対を成す元の無線中継親機１の情報を与え、ステップＳ２３において、参照符号Ｆ４で示すように、それらの無線中継子機３Ａ，３Ｂが使用する接続先を、元の無線中継親機１に再度切換えさせ、図２（ａ）の状態に戻す。
【００３９】
このようにして、各無線中継子機３Ａ，３Ｂ，３Ｃ，３Ｄの配下の多数の通信端末は、連続して（切れ目無く）、外部ネットワーク７に接続できるようになる。また、一旦、もう１つの無線中継親機（上述の例では２）に接続先を移行しても、元の無線中継親機（上述の例では１）が中継可能になると、無線中継子機（上述の例では３Ａ，３Ｂ）に、元の無線中継親機（上述の例では１）への接続を促し、所謂切戻しの動作を行わせることで、もう１つの無線中継親機（上述の例では２）のトラヒックが、図２（ｂ）のように過剰になったままとなるような不具合も無い。
【００４０】
ここで、図４および図５を参照して、図２の無線中継親機１，２のＤＦＳ制御による無線中継子機３の親機切換え動作を比較する。図４で示す従来の切換え動作では、無線中継子機３が、接続している無線中継親機１がレーダー検出によってチャンネル移行し、外部ネットワーク７への接続が途絶された段階で、ステップＳ５１において他の無線中継親機からのビーコン信号のスキャンを開始し、ステップＳ５２においてチャンネル移動して、ステップＳ５３で、そのチャンネルにおいてビーコン信号を受信すると、ステップＳ５４において、接続を要求するプローブリクエストを送信する。ステップＳ５５において、他の無線中継親機から、それに応答するプローブレスポンスを受信し、ステップＳ５６において、元の無線中継親機１のチャンネル以外の全チャンネルについてスキャンを終了したか否かを判断し、終了していないときにはステップＳ５２に戻ってスキャンを継続する。
【００４１】
ステップＳ５６において、全チャンネルのスキャンを終了しているとステップＳ５７に移り、プローブレスポンスを受信したチャンネルの内、電波強度やトラヒックなど、最も条件の良い無線中継親機を選択して、ステップＳ５８で、その無線中継親機に接続する。ステップＳ５３で、ビーコン信号が受信されない場合は、ステップＳ５９において、ステップＳ５２のチャンネル移動から所定時間以内か否かを判断し、以内であればステップＳ５３に戻って受信を継続し、タイムアウトであれば、ステップＳ５６の全チャンネル完了判定を行う。
【００４２】
一方、図５で示す本実施形態の切換え動作では、無線中継親機１がＤＦＳ制御によるチャンネル移行前に、ステップＳ６１で、無線中継子機３は、切換わり先の無線中継親機２の情報を受信しており、ステップＳ６２で、その情報に従いチャンネル移動する。ステップＳ６３，Ｓ６９では、ステップＳ５３，Ｓ５９と同様に、そのチャンネルにおいてビーコン信号を受信するまで待機し、受信するとステップＳ６４で、そのままその無線中継親機２への接続を開始する。これに対して、ステップＳ５９において、タイムアウトとなると、その無線中継親機２への接続は失敗したものと判定し、図４のステップＳ５１〜Ｓ５９の、通常の接続手続を行う。
【００４３】
したがって、図４と図５とを比較すると、従来の切換え動作では、通信が途絶する無線中継親機１が使用していたチャンネル以外の全てのチャンネルのビーコン信号をスキャンする必要があるのに対して、本実施形態の切換え動作では、情報を受けたチャンネルのみのビーコン信号を受信すれば良く、通信が途絶する時間を、極めて小さくすることができる。
【００４４】
このようにして、本実施形態の無線ＬＡＮシステム１０は、無線中継装置として上記のような無線中継親機１，２を用い、ＤＦＳなどによる無線中継親機１，２のチャンネル切換えなどに伴う無線中継子機３の接続先の切換えに対して、通信端末へのパケットを切れ目無く転送することができる。つまり、上述の無線ＬＡＮシステム１０は、無線中継子機３の接続先として、２機一対で運用される無線中継親機１，２を用い、たとえば、一方を常用とし、他方を非常用とするような冗長構成を実現することができる。冗長性を高める場合など、無線中継親機は、３台以上が一体で運用されてもよい。
【００４５】
或いは、無線中継親機１，２は、その２機の運用で、常時は、負荷（通信端末）を分散するようにしてもよい。これによって、負荷（通信端末）の増大に対応しつつ、非常時に通信が途切れないシステムを実現することができる。
【００４６】
また、無線中継装置１，２は、無線ＬＡＮアクセスポイントのように屋内に設置される無線中継装置であってもよく、特に上述のように２機一対で運用される場合、ビル間通信を行うために屋外に設置される無線中継装置であってもよい。
【００４７】
本発明について、実施例に基づいて説明したが、本発明は、こうした実施例に限定されるものではなく、その要旨を逸脱しない範囲内において、様々な形態で実施することができる。たとえば、実施例では、無線中継装置を無線中継親機１，２として、さらに無線中継装置となる無線中継子機３と通信端末とが接続される多段構成としたが、無線中継装置にそのまま通信端末が無線接続される構成としてもよい。その場合、ＤＦＳ制御時には、無線中継装置は通信端末に他の無線中継装置の情報を与えて、それを受取った通信端末が、上述の無線中継子機３のように、接続を切換える動作を行うことになる。
【符号の説明】
【００４８】
１，２  無線中継親機（無線中継装置）
１０    無線ＬＡＮシステム
１１    有線ＬＡＮ通信部
１２    無線通信部
１３    ペア親機通信部
１５    レーダー検出部
１６    親機チャンネル決定制御部
１７    子機切換先チャンネル通知送信部
３    無線中継子機
３１    有線ＬＡＮ通信部
３２    無線通信部
３５    スキャン制御部
３６    接続親機決定制御部
３７    チャンネル通知受信部
５    スイッチングハブ
６    有線ＬＡＮ
７    外部ネットワーク
８    ネットワーク
【図１】
2020198518.tif 000003
【図２】
2020198518.tif 000004
【図３】
2020198518.tif 000005
【図４】
2020198518.tif 000006
【図５】
2020198518.tif 000007